(57)【要約】【課題】ねじによって、スイッチボックスに取付枠を取り付けた状態において、スイッチとの保持状態を安定させることが可能なスイッチの取付枠を提供する。【解決手段】スイッチ装置の一構成要素である取付枠２は、取付枠２の短手方向の両側からスイッチ本体を保持する第１取付体２１と、スイッチボックスに取り付けられる第２取付体２２とが組み合わされることにより構成される。そして、第１取付体２１と第２取付体２２とには、奥行き方向において、重ねられるとともに、互いに接合する接合部２１ｄ，２２ｄがそれぞれ設けられる。これら接合部２１ｄ，２２ｄを互いに接合された部位である固定部のうち、長手方向において、内側の固定部である第１固定部ＦＸ１は、外側の固定部である第２固定部ＦＸ２より、短手方向の内側に配置されている。【選択図】図７
2010050066.tif 000002
【特許請求の範囲】
【請求項１】
スイッチの取付枠において、
当該取付枠の短手方向の両側にてスイッチを保持する第１取付体と、スイッチボックスに取り付けられる第２取付体とが組み合わされることにより構成され、
前記第１取付体と前記第２取付体とには、当該取付枠の奥行き方向において、互いに重ねられるとともに、互いに接合する接合部がそれぞれ設けられ、
これら接合部が互いに接合された部分である固定部は、当該取付枠の長手方向において、複数設けられ、
前記固定部のうち、当該取付枠の長手方向において、内側の固定部は、外側の固定部に対して、当該取付枠の短手方向において、外側に配置されること
を特徴とするスイッチの取付枠。
【請求項２】
スイッチの取付枠において、
当該取付枠の短手方向の両側にてスイッチを保持する第１取付体と、スイッチボックスに取り付けられる第２取付体とが組み合わされることにより構成され、
前記第１取付体と前記第２取付体とには、当該取付枠の奥行き方向において、重ねられるとともに、互いに接合する接合部がそれぞれ設けられ、
これら接合部を互いに接合された部分である固定部は、当該取付枠の長手方向において、内側から外側に向うにしたがい、当該取付枠の短手方向において、外側から内側に傾斜する形状であること
を特徴とするスイッチの取付枠。
【請求項３】
スイッチの取付枠において、
当該取付枠の短手方向の両側にてスイッチを保持する第１取付体と、スイッチボックスに取り付けられる第２取付体とが組み合わされることにより構成され、
前記第１取付体と前記第２取付体とには、当該取付枠の奥行き方向において、互いに重ねられるとともに、互いに接合する接合部がそれぞれ設けられ、
これら接合部が互いに接合された部分である固定部は、当該取付枠の長手方向において、複数設けられ、
前記固定部のうち、当該取付枠の長手方向において、内側の固定部は、外側の固定部に対して、当該取付枠の短手方向において、内側に配置されること
を特徴とするスイッチの取付枠。
【請求項４】
スイッチの取付枠において、
当該取付枠の短手方向の両側にてスイッチを保持する第１取付体と、スイッチボックスに取り付けられる第２取付体とが組み合わされることにより構成され、
前記第１取付体と前記第２取付体とには、奥行き方向において、互いに重ねられるとともに、互いに接合する接合部がそれぞれ設けられ、
これら前記接合部を互いに接合された部分である固定部は、当該取付枠の長手方向において、内側から外側に向うにしたがい、当該取付枠の短手方向において、内側から外側に傾斜する形状であること
を特徴とするスイッチの取付枠。
【請求項５】
請求項３及び請求項４に記載のスイッチの取付枠において、
前記接合部のうち、一方の接合部には、他方の接合部に向かい突出する突起部が設けられ、前記他方の接合部には、前記突起部を挿入する開口部が設けられ、
前記開口部に前記突起部を挿入した状態において、前記突起部を押圧することによりかしめが行われて、前記固定部が形成され、
前記突起部には、拡径部が設けられ、前記拡径部には、前記他方の接合部が接触するとともに、前記拡径部の周囲には、当該取付枠の奥行き方向において、前記一方の接合部と前記他方の接合部との間に間隙が設けられること
を特徴とするスイッチの取付枠。
【請求項６】
スイッチの取付枠において、
当該取付枠の短手方向の両側にてスイッチを保持する第１取付体と、スイッチボックスに取り付けられる第２取付体とから構成され、
前記第１取付体と前記第２取付体とには、奥行き方向において、互いに重ねられるとともに、互いに接合する接合部がそれぞれ設けられ、
これら接合部を互いに接合された部分である固定部は、当該取付枠の長手方向において、複数設けられ、
前記固定部のうち、当該取付枠の長手方向において、外側の固定部の接合強度より、内側の固定部の接合強度の方が高いこと
を特徴とするスイッチの取付枠。
【請求項７】
スイッチの取付枠において、
当該取付枠の短手方向の両側にてスイッチを保持する第１取付体と、スイッチボックスに取り付けられる第２取付体とから構成され、
前記第１取付体と前記第２取付体とには、奥行き方向において、互いに重ねられるとともに、互いに接合する接合部がそれぞれ設けられ、
これら接合部を互いに接合された部分である固定部は、当該取付枠の長手方向において、前記固定部の外側の接合強度より、前記固定部の内側の接合強度の方が高いこと
を特徴とするスイッチの取付枠。
【請求項８】
請求項１、請求項３、及び請求項６のいずれか一項に記載のスイッチの取付枠において、
前記接合部のうち、一方の接合部において、他方の接合部に向かい突出する突起部が、当該取付枠の長手方向において複数設けられ、前記他方の接合部において、前記複数の突起部を挿入する開口部が設けられ、
前記開口部に前記突起部を挿入した状態において、前記突起部を押圧することによりかしめが行われて、前記固定部が形成され、
前記突起部のうち、当該取付枠の長手方向において、内側の突起部の外径は、外側の突起部の外径よりも大きいこと
を特徴とするスイッチの取付枠。
【請求項９】
スイッチの取付枠であって、
当該取付枠には、当該取付枠の短手方向の両側にてスイッチを保持する第１取付部と、スイッチボックスに取り付けられる第２取付部と、前記第１取付部と前記第２取付部とが接続される接続部とが設けられ、
前記接続部には、当該取付枠の長手方向において、内側から外側に向かうにしたがい、当該取付枠の短手方向において、外側から内側に向かい延設される溝が形成されること
を特徴とするスイッチの取付枠。
【請求項１０】
スイッチの取付枠であって、
当該取付枠には、当該取付枠の短手方向の両側にてスイッチを保持する第１取付部と、スイッチボックスに取り付けられる第２取付部と、前記第１取付部と前記第２取付部とが接続される接続部とが設けられ、
前記接続部には、当該取付枠の長手方向において、内側から外側に向かうにしたがい、当該取付枠の短手方向において、内側から外側に向かい延設される溝が形成されること
を特徴とするスイッチの取付枠。
【請求項１１】
電気機器のオンとオフとを切り換えるスイッチと、前記スイッチを保持する取付枠とを備えるスイッチ装置において、
前記取付枠として、請求項１〜請求項１０のいずれか１項に記載のスイッチの取付枠を備えることを特徴とするスイッチ装置。
【発明の詳細な説明】
【技術分野】
【０００１】
本発明は、造営材に取り付けられるスイッチ装置の構成要素であって、スイッチが取り付けられる取付枠及びこの取付枠を備えたスイッチ装置に関する。
【背景技術】
【０００２】
上記取付枠は、造営物の照明等の電気機器の電源のオン／オフの操作を行うスイッチ装置において、ねじによって、造営材に埋設されたスイッチボックスに取り付けられることにより、スイッチ装置を造営材に固定する役割を果たしている。そして、取付枠の構造としては、スイッチのオン／オフの切換を行う操作部（押釦ハンドル）を内側に配置した空間が設けられる構造が知られている（例えば、特許文献１参照）。
【０００３】
図１９を参照して、スイッチが取り付けられた従来の取付枠の構造について説明する。
図１９に示すように、単一部材から構成される取付枠１００は、互いに所定の距離を介して配置されてスイッチ１０３を保持する一対の第１取付部１０１と、一対の第１取付部１０１を互いに接続するとともにスイッチボックスに取り付けられる一対の第２取付部１０２とから構成されている。そして、取付枠１００において、一対の第１取付部１０１及び一対の第２取付部１０２によって囲まれることにより、押釦ハンドルを配置する空間ＳＲが形成されている。また、第１取付部１０１には、スイッチ１０３を保持する保持部１０１ａが設けられている。保持部１０１ａは、取付枠１００の奥行き方向に沿って設けられる。そして、保持部１０１ａには、取付枠１００の長手方向に沿って複数の貫通孔１０１ｂが設けられている。また、スイッチ１０３には、筐体１０３ａから短手方向の外側に向かい突出する爪部１０３ｂが設けられている。スイッチ１０３は、爪部１０３ｂが保持部１０１ａの短手方向の内側より係合することにより、取付枠１００に取り付けられるとともに保持されている。
【特許文献１】特開２０００−２５１５７９号公報
【発明の開示】
【発明が解決しようとする課題】
【０００４】
ところで、第１取付部１０１にスイッチ１０３を取り付けた状態において、第２取付部１０２をスイッチボックスにねじを用いて取り付けた場合、ねじの締め付けトルクによって、取付枠１００の奥行き方向において、第２取付部１０２が裏側に撓んでしまう。そして、この第２取付部１０２の奥行き方向の裏側への撓みに起因して、第１取付部１０１の保持部１０１ａが、取付枠１００の短手方向において、外側に変形してしまう。即ち、第１取付部１０１の保持部１０１ａが、スイッチ１０３に対して離れる方向に変形するため、スイッチ１０３と保持部１０１ａとの保持状態が安定しない場合があった。
【０００５】
本発明は、上記問題に鑑みてなされたものであり、その目的とするところは、ねじによって、スイッチボックスに取付枠を取り付けた状態において、スイッチとの保持状態を安定させることが可能なスイッチの取付枠を提供することである。
【課題を解決するための手段】
【０００６】
請求項１に記載の発明は、スイッチの取付枠において、当該取付枠の短手方向の両側にてスイッチを保持する第１取付体と、スイッチボックスに取り付けられる第２取付体とが組み合わされることにより構成され、前記第１取付体と前記第２取付体とには、当該取付枠の奥行き方向において、互いに重ねられるとともに、互いに接合する接合部がそれぞれ設けられ、これら接合部が互いに接合された部分である固定部は、当該取付枠の長手方向において、複数設けられ、前記固定部のうち、当該取付枠の長手方向において、内側の固定部は、外側の固定部に対して、当該取付枠の短手方向において、外側に配置されることを要旨とする。
【０００７】
本願発明者によれば、取付枠をスイッチボックスに取り付ける際、固定部のうち、長手方向の外側と比較して、内側の方が、取付枠の奥行き方向の裏側に変形しようとする力が大きいことが確認されている。本発明は、上記現象に基づいて、複数設けられた固定部のうち、取付枠の長手方向の内側の固定部が取付枠の長手方向の外側の固定部より、取付枠の短手方向の外側に配置されるように設定している。
【０００８】
ここで、ねじによって、スイッチボックスに取付枠を取り付ける際、ねじの締め付けトルクによって、取付枠の長手方向の内側の固定部が、取付枠の長手方向の外側の固定部を支点として、取付枠の奥行き方向の下側、且つ、短手方向の内側に変形しようとする力が働く。即ち、取付枠の長手方向の内側の固定部は、取付枠の短手方向において、第１取付体を内側に変形させる力が働く。
【０００９】
したがって、スイッチボックスに取付枠を取り付ける際、第２取付体が取付枠の奥行き方向の裏側に変形することに起因して、第１取付体が短手方向の外側に変形したとしても、取付枠の長手方向の内側の固定部により、第１取付体を短手方向の内側に変形しているため、図１９に示す従来構造と比較して、スイッチボックスに取付枠を取り付けた状態において、第１取付体の短手方向の外側への変形量を低減させることができる。その結果、スイッチが第１取付体の短手方向の内側より保持される場合、取付枠が、スイッチを良好に保持することができる。
【００１０】
請求項２に記載の発明は、スイッチの取付枠において、当該取付枠の短手方向の両側にてスイッチを保持する第１取付体と、スイッチボックスに取り付けられる第２取付体とが組み合わされることにより構成され、前記第１取付体と前記第２取付体とには、当該取付枠の奥行き方向において、重ねられるとともに、互いに接合する接合部がそれぞれ設けられ、これら接合部を互いに接合された部分である固定部は、当該取付枠の長手方向において、内側から外側に向うにしたがい、当該取付枠の短手方向において、外側から内側に傾斜する形状であることを要旨とする。
【００１１】
本願発明者によれば、取付枠をスイッチボックスに取り付ける際、固定部のうち、長手方向の外側と比較して、内側の方が、取付枠の奥行き方向の裏側に変形しようとする力が大きいことが確認されている。本発明は、上記現象に基づいて、接合部に設けられた１つの固定部が、取付枠の長手方向において、内側から外側に向かうにしたがい、取付枠の短手方向において、外側から内側に傾斜する形状に設定している。
【００１２】
ここで、ねじによって、スイッチボックスに取付枠を取り付ける際、ねじの締め付けトルクによって、取付枠の長手方向において、固定部の内側が、固定部の外側を支点として、取付枠の奥行き方向の下側、且つ、短手方向の内側に変形しようとする力が働く。即ち、取付枠の長手方向において、固定部の内側は、取付枠の短手方向において、第１取付体を内側に変形させる力が働く。
【００１３】
したがって、スイッチボックスに取付枠を取り付ける際、第２取付体が取付枠の奥行き方向の裏側に変形することに起因して、第１取付体が短手方向の外側に変形したとしても、取付枠の長手方向における固定部の内側により、第１取付体を短手方向の内側に変形しているため、図１９に示す従来構造と比較して、スイッチボックスに取付枠を取り付けた状態において、第１取付体の短手方向の外側への変形量を低減させることができる。その結果、スイッチが第１取付体の短手方向の内側より保持される場合、取付枠が、スイッチを良好に保持することができる。
【００１４】
請求項３に記載の発明は、スイッチの取付枠において、当該取付枠の短手方向の両側にてスイッチを保持する第１取付体と、スイッチボックスに取り付けられる第２取付体とが組み合わされることにより構成され、前記第１取付体と前記第２取付体とには、当該取付枠の奥行き方向において、互いに重ねられるとともに、互いに接合する接合部がそれぞれ設けられ、これら接合部が互いに接合された部分である固定部は、当該取付枠の長手方向において、複数設けられ、前記固定部のうち、当該取付枠の長手方向において、内側の固定部は、外側の固定部に対して、当該取付枠の短手方向において、内側に配置されることを要旨とする。
【００１５】
本願発明者によれば、取付枠をスイッチボックスに取り付ける際、固定部のうち、長手方向の外側と比較して、内側の方が、取付枠の奥行き方向の裏側に変形しようとする力が大きいことが確認されている。本発明は、上記現象に基づいて、複数設けられた固定部のうち、取付枠の長手方向において、内側の固定部が、外側の固定部に対して、取付枠の短手方向において、内側に配置されるように設定している。
【００１６】
ここで、ねじによって、スイッチボックスに取付枠を取り付ける際、ねじの締め付けトルクによって、取付枠の長手方向の内側の固定部が、取付枠の長手方向の外側の固定部を支点として、取付枠の奥行き方向の下側、且つ、短手方向の外側に変形しようとする力が働く。即ち、取付枠の長手方向の内側の固定部は、取付枠の短手方向において、第１取付体を外側に変形させる力が働く。
【００１７】
したがって、スイッチボックスに取付枠を取り付ける際、第２取付体が取付枠の奥行き方向の裏側に変形することに起因して、第１取付体が短手方向の外側に変形した上、取付枠の長手方向の内側の固定部により、第１取付体を短手方向の外側に変形しているため、図１９に示す従来構造と比較して、スイッチボックスに取付枠を取り付けた状態において、第１取付体の短手方向の外側への変形量を増大させることができる。その結果、スイッチが第１取付体の短手方向の外側より保持される場合、取付枠が、スイッチを良好に保持することができる。
【００１８】
請求項４に記載の発明は、スイッチの取付枠において、当該取付枠の短手方向の両側にてスイッチを保持する第１取付体と、スイッチボックスに取り付けられる第２取付体とが組み合わされることにより構成され、前記第１取付体と前記第２取付体とには、奥行き方向において、互いに重ねられるとともに、互いに接合する接合部がそれぞれ設けられ、これら前記接合部を互いに接合された部分である固定部は、当該取付枠の長手方向において、内側から外側に向うにしたがい、当該取付枠の短手方向において、内側から外側に傾斜する形状であることを要旨とする。
【００１９】
本願発明者によれば、取付枠をスイッチボックスに取り付ける際、固定部のうち、長手方向の外側と比較して、内側の方が、取付枠の奥行き方向の裏側に変形しようとする力が大きいことが確認されている。本発明は、上記現象に基づいて、固定部が、取付枠の長手方向において、内側から外側に向かうにしたがい、取付枠の短手方向において、内側から外側に傾斜する形状に設定している。
【００２０】
ここで、ねじによって、スイッチボックスに取付枠を取り付ける際、ねじの締め付けトルクによって、取付枠の長手方向において、固定部の内側が、固定部の外側を支点として、取付枠の奥行き方向の下側、且つ、短手方向の外側に変形しようとする力が働く。即ち、取付枠の長手方向において、固定部の内側は、取付枠の短手方向において、第１取付体を外側に変形させる力が働く。
【００２１】
したがって、スイッチボックスに取付枠を取り付ける際、第２取付体が取付枠の奥行き方向の裏側に変形することに起因して、第１取付体が短手方向の外側に変形した上、取付枠の長手方向において、固定部の内側により、第１取付体を短手方向の外側に変形しているため、図１９に示す従来構造と比較して、スイッチボックスに取付枠を取り付けた状態において、第１取付体の短手方向の外側への変形量を増大させることができる。その結果、スイッチが第１取付体の短手方向の外側より保持される場合、取付枠が、スイッチを良好に保持することができる。
【００２２】
請求項５に記載の発明は、請求項３及び請求項４に記載のスイッチの取付枠において、前記接合部のうち、一方の接合部には、他方の接合部に向かい突出する突起部が設けられ、前記他方の接合部には、前記突起部を挿入する開口部が設けられ、前記開口部に前記突起部を挿入した状態において、前記突起部を押圧することによりかしめが行われて、前記固定部が形成され、前記突起部には、拡径部が設けられ、前記拡径部には、前記他方の接合部が接触するとともに、前記拡径部の周囲には、当該取付枠の奥行き方向において、前記一方の接合部と前記他方の接合部との間に間隙が設けられることを要旨とする。
【００２３】
本願発明者によれば、取付枠の奥行き方向において、互いの接合部の間には、間隙が形成されることにより、即ち、突起部に拡径部が設けられない構造と比較して、一方の接合部と他方の接合部との接触面積を小さくしていることより、接合部を接合した際、第１取付体は、短手方向の外側に変形する量が大きくなる現象を確認している。本発明は、上記現象に基づいて、突起部に拡径部を設けることにより、取付枠の奥行き方向において、互いの接合部の間には、間隙が形成されるように設定している。したがって、スイッチが、第１取付体の短手方向の外側より保持される場合、スイッチを短手方向の外側に押圧するため、取付枠がスイッチを良好に保持することができる。
【００２４】
請求項６に記載の発明は、スイッチの取付枠において、当該取付枠の短手方向の両側にてスイッチを保持する第１取付体と、スイッチボックスに取り付けられる第２取付体とから構成され、前記第１取付体と前記第２取付体とには、奥行き方向において、互いに重ねられるとともに、互いに接合する接合部がそれぞれ設けられ、これら接合部を互いに接合された部分である固定部は、当該取付枠の長手方向において、複数設けられ、前記固定部のうち、当該取付枠の長手方向において、外側の固定部の接合強度より、内側の固定部の接合強度の方が高いことを要旨とする。
【００２５】
請求項７に記載の発明は、スイッチの取付枠において、当該取付枠の短手方向の両側にてスイッチを保持する第１取付体と、スイッチボックスに取り付けられる第２取付体とから構成され、前記第１取付体と前記第２取付体とには、奥行き方向において、互いに重ねられるとともに、互いに接合する接合部がそれぞれ設けられ、これら接合部を互いに接合された部分である固定部は、当該取付枠の長手方向において、前記固定部の外側の接合強度より、前記固定部の内側の接合強度の方が高いことを要旨とする。
【００２６】
本願発明者によれば、ねじによって、スイッチボックスに取付枠を取り付けるとき、取付枠の長手方向において、固定部の内側に加わる力は、固定部の外側に加わる力よりも大幅に大きいことが確認されている。本発明は、この固定部の長手方向の場所によって加わる力が異なることに基づいて、複数設けられた固定部のうち、取付枠の長手方向において、外側の固定部の接合強度より、内側の固定部の接合強度の方を高く設定している。また、本発明は、１つの固定部において、取付枠の長手方向において、固定部の内側の接合強度を固定部の外側の接合強度よりも高く設定している。したがって、取付枠の長手方向において、より力の加わる固定部の内側の接合強度が高いため、ねじによって、スイッチボックスに取付枠を取り付ける際、接合部が互いに外れることを抑制することができる。その結果、スイッチボックスに取付枠を取り付けた状態において、取付枠がスイッチを良好に保持することができる。
【００２７】
請求項８に記載の発明は、請求項１、請求項３、及び請求項６のいずれか一項に記載のスイッチの取付枠において、前記接合部のうち、一方の接合部において、他方の接合部に向かい突出する突起部が、当該取付枠の長手方向において複数設けられ、前記他方の接合部において、前記複数の突起部を挿入する開口部が設けられ、前記開口部に前記突起部を挿入した状態において、前記突起部を押圧することによりかしめが行われて、前記固定部が形成され、前記突起部のうち、当該取付枠の長手方向において、内側の突起部の外径は、外側の突起部の外径よりも大きいことを要旨とする。
【００２８】
この発明によれば、接合部において、長手方向の内側の突起部の外径が、外側の突起部の外径よりも大きいことにより、内側の突起部のかしめによる接合強度が、外側の突起部のかしめによる接合強度よりも高くすることができる。したがって、接合部において、より力の加わる内側の突起部のかしめによる接合強度が高いため、ねじによって、スイッチボックスに取付枠を取り付ける際、接合部が互いに外れることを抑制することができる。その結果、スイッチボックスに取付枠を取り付けた状態において、取付枠がスイッチを良好に保持することができる。
【００２９】
請求項９に記載の発明は、スイッチの取付枠であって、当該取付枠には、当該取付枠の短手方向の両側にてスイッチを保持する第１取付部と、スイッチボックスに取り付けられる第２取付部と、前記第１取付部と前記第２取付部とが接続される接続部とが設けられ、前記接続部には、当該取付枠の長手方向において、内側から外側に向かうにしたがい、当該取付枠の短手方向において、外側から内側に向かい延設される溝が形成されることを要旨とする。
【００３０】
本願発明者によれば、接続部に設けられた溝が、取付枠の長手方向の内側から外側に向かうにしたがい、取付枠の短手方向において、外側から内側に向かい形成されることにより、ねじによって、スイッチボックスに取付枠を取り付ける際、第１取付体が内側に変形することが確認されている。本発明は、上記現象に基づいて、接続部に設けられた溝が、取付枠の長手方向の内側から外側に向かうにしたがい、取付枠の短手方向において、外側から内側に向かい形成するように設定している。したがって、スイッチが第１取付体の短手方向の内側より保持される場合、取付枠が、スイッチを良好に保持することができる。
【００３１】
請求項１０に記載の発明は、スイッチの取付枠であって、当該取付枠には、当該取付枠の短手方向の両側にてスイッチを保持する第１取付部と、スイッチボックスに取り付けられる第２取付部と、前記第１取付部と前記第２取付部とが接続される接続部とが設けられ、前記接続部には、当該取付枠の長手方向において、内側から外側に向かうにしたがい、当該取付枠の短手方向において、内側から外側に向かい延設される溝が形成されることを要旨とする。
【００３２】
本願発明者によれば、接続部に設けられた溝が、取付枠の長手方向の内側から外側に向かうにしたがい、取付枠の短手方向において、内側から外側に向かい形成されることにより、ねじによって、スイッチボックスに取付枠を取り付ける際、第１取付体が外側に変形することが確認されている。本発明は、上記現象に基づいて、接続部に設けられた溝が、取付枠の長手方向の内側から外側に向かうにしたがい、取付枠の短手方向において、内側から外側に向かい形成するように設定している。したがって、スイッチが第１取付体の短手方向の外側より保持される場合、スイッチを短手方向の外側に押圧するため、取付枠がスイッチを良好に保持することができる。
【００３３】
請求項１１に記載の発明は、電気機器のオンとオフとを切り換えるスイッチと、前記スイッチを保持する取付枠とを備えるスイッチ装置において、前記取付枠として、請求項１〜請求項１０のいずれか１項に記載のスイッチの取付枠を備えることを要旨とする。
【発明の効果】
【００３４】
本発明によれば、ねじによって、スイッチボックスに取付枠を取り付けた状態において、スイッチとの保持状態を安定させることが可能なスイッチの取付枠を提供することができる。
【発明を実施するための最良の形態】
【００３５】
（第１の実施形態）
図１〜図７を参照して、本発明に係るスイッチの取付枠を電気機器のスイッチ装置を構成する取付枠として、具体的には、造営物に設置される照明のオンとオフとを切り換えるピアノハンドル式のスイッチ装置を構成する取付枠として具体化した第１の実施形態について説明する。
【００３６】
図１に示すように、スイッチ装置Aには、押釦ハンドル１１を備えるスイッチ本体１が設けられている。このスイッチ本体１には、押釦ハンドル１１を覆うピアノハンドル３が取り付けられている。また、スイッチ本体１は、矩形状に形成された取付枠２に取り付けられている。即ち、取付枠２を構成する４つの辺に囲まれた矩形状の空間Ｓ１にスイッチ本体１の一部が配置された状態において、スイッチ本体１の一部が取付枠２に取り付けられている。ここで、スイッチ本体１の筐体１２に設けられた爪部が取付枠２に設けられた貫通孔２１ｃに係合することにより、スイッチ本体１は、取付枠２に取り付けられるとともに、取付枠２に保持される。なお、本実施形態では、スイッチ本体１の筐体１２の爪部は、筐体１２からスイッチ本体１の短手方向の外側に突出する。そして、爪部は、取付枠２の貫通孔２１ｃの短手方向の内側から外側に挿入されることにより、係合される。また、取付枠２には、ピアノハンドル３を外囲する矩形状のプレート４が取り付けられている。
【００３７】
スイッチ本体１は、内蔵した接点を押釦ハンドル１１の操作に伴い反転させることにより、照明のオンとオフとを切り換えている。特に、スイッチ装置Ａでは、ピアノハンドル３を介して、押釦ハンドル１１の操作が行われている。
【００３８】
プレート４は、ねじ７により取付枠２に固定されることにより、ピアノハンドル３を外囲するプレート枠５と、プレート枠５に取り付けられることにより、ピアノハンドル３を外囲する化粧プレート６とにより構成されている。プレート枠５において、プレート枠５を構成する４つの辺に囲まれた矩形状の空間Ｓ２にピアノハンドル３の一部が配置されている。また、化粧プレート６において、化粧プレート６を構成する４つの辺に囲まれた矩形状の空間Ｓ３にピアノハンドル３の一部が配置されている。化粧プレート６の空間Ｓ３の面積は、プレート枠５の空間Ｓ２の面積よりも小さく設定されている。これにより、ピアノハンドル３の外周縁と、この外周縁と対応する化粧プレート６の内周縁との間隙が十分に小さく設定されている。
【００３９】
スイッチ装置Ａにおいて、化粧プレート６により、プレート枠５の表側が覆われている。また、ピアノハンドル３により、スイッチ本体１が覆われている。これにより、造営材に設けられたスイッチボックスＳＢに取付枠２が取り付けられた際、スイッチ装置Ａの表側からは、化粧プレート６及びピアノハンドル３のみが視認されている。
【００４０】
図２及び図３に示すように、取付枠２は、複数の分割された取付体を組み合わせることにより構成されている。即ち、スイッチ本体１が取り付けられる一対の第１取付体２１と、一対の第１取付体２１を互いに接合するとともに、造営材に埋設されているスイッチボックスＳＢに取り付けられる一対の第２取付体２２とが組み合わされることにより構成されている。
【００４１】
以降では、第１取付体２１に沿う方向を取付枠２の「長手方向」とし、また、第２取付体２２に沿う方向を取付枠２の「短手方向」とし、長手方向及び短手方向に直行する方向を「奥行き方向」とする。
【００４２】
一対の第１取付体２１は、短手方向において、所定の距離を介して互いに平行に配置されている。即ち、第１取付体２１には、長手方向に延設された保持部２１ａと、保持部２１ａから短手方向の内側に向かい延設された補強部２１ｂとが設けられている。これら保持部２１ａ及び補強部２１ｂにより、第１取付体２１において、長手方向に沿う断面の形状は、略Ｌ字状に形成されている。また、保持部２１ａには、スイッチ本体１を取り付ける貫通孔２１ｃが長手方向に沿って所定の距離を介して複数設けられている。
【００４３】
また、長手方向において、保持部２１ａの両端には、第２取付体２２と接合する接合部２１ｄがそれぞれ設けられている。これら接合部２１ｄは、短手方向において、保持部２１ａよりも内側に延設されている。
【００４４】
一対の第２取付体２２は、長手方向において、所定の距離を介して互いに平行に配置されている。そして、第２取付体２２のそれぞれには、長手方向において、第２取付体２２の外側に設けられるとともに、プレート枠５（図１参照）が取付枠２に取り付けられる際、ねじ７（図１参照）が螺合するねじ穴２２ａと、ねじ８（図６参照）によって、取付枠２がスイッチボックスＳＢ（図１参照）に取り付けられる際、ねじ８が挿入される貫通孔２２ｂとが設けられている。ここで、貫通孔２２ｂは、ねじ穴２２ａより長手方向の内側に設けられるとともに、短手方向が長軸となる長穴形状である。また、短手方向において、ねじ穴２２ａの両側には、スイッチボックスＳＢに対して取付枠２の位置を決定する位置決め部２２ｃが設けられている。なお、本実施形態の位置決め部２２ｃは、円形の貫通孔である。
【００４５】
また、短手方向において、第２取付体２２の両端には、第１取付体２１と接合する接合部２２ｄがそれぞれ設けられている。また、短手方向において、接合部２２ｄより内側には、屈曲部２２ｅが設けられている。屈曲部２２ｅは、短手方向の外側に向かい奥行き方向の表側に延設される。即ち、接合部２２ｄの表面２２ｆ（図３参照）は、ねじ穴２２ａが設けられる部位２２ｇ以外の第２取付体２２の表面２２ｈよりも表側に設けられている。
【００４６】
各第２取付体２２において、接合部２２ｄ及び貫通孔２２ｂは、長手方向に沿って、一列に配置されている。また、長手方向において、貫通孔２２ｂより内側の部位２２ｎは、奥行き方向に対して凹凸のない平面にて構成されている。
【００４７】
この取付枠２は、ねじ８が、各第２取付体２２にそれぞれ設けられた貫通孔２２ｂに挿入されるとともに、スイッチボックスＳＢの一対の突出部ＳＢ１に設けられた貫通孔ＳＢ２（図１参照）に螺合されることにより、スイッチボックスＳＢに取り付けられる。
【００４８】
図５に示すように、奥行き方向において、第１取付体２１の接合部２１ｄは、第２取付体２２の接合部２２ｄよりも表側に配置されているとともに、各接合部２１ｄ，２２ｄは、互いに重ねられている。即ち、接合部２１ｄの裏面２１ｅは、接合部２２ｄの表面２２ｆに接触している。
【００４９】
第２取付体２２の接合部２２ｄのそれぞれには、奥行き方向において、接合部２２ｄの表面２２ｆから表側に向かい突出する突起部２２ｊが設けられている。突起部２２ｊは、長手方向において、所定の距離を介して２つ設けられている。以降では、長手方向において、内側の突起部を「内側突起部２２ｊ１」といい、外側の突起部を「外側突起部２２ｊ２」という。そして、単に、「突起部２２ｊ」と記載したときは、全ての突起部２２ｊを示す。
【００５０】
第１取付体２１の接合部２１ｄにおいて、第２取付体２２の突起部２２ｊと対向する位置には、開口部２１ｆがそれぞれ設けられている。この開口部２１ｆは、接合部２１ｄを奥行き方向に貫通する貫通孔である。
【００５１】
第１取付体２１の接合部２１ｄと第２取付体２２の接合部２２ｄとが互いに重なる際、接合部２２ｄの突起部２２ｊが接合部２１ｄの開口部２１ｆに挿入される。そして、突起部２２ｊを開口部２１ｆに挿入された状態において、突起部２２ｊを押圧することにより、突起部２２ｊが変形して各接合部２１ｄ，２２ｄが互いに接合される、即ち、各接合部２１ｄ，２２ｄにかしめが行われる。ここで、本実施形態の取付枠２では、第１取付体２１の接合部２１ｄと第２取付体２２の接合部２２ｄとの接合構造が４つ設けられるが、これら接合構造は、同一の構造である。また、かしめを行う際、位置決め部２２ｃは、かしめピンに対する位置基準として用いられる。即ち、位置決め部２２ｃは、取付枠２がスイッチボックスＳＢに取り付けられる際の位置基準と、かしめを行う際のかしめピンに対する位置基準との両方に用いられる。
【００５２】
図４に示すように、第２取付体２２の接合部２２ｄの突起部２２ｊは、内側突起部２２ｊ１の短手方向の位置が、外側突起部２２ｊ２の短手方向の位置より、短手方向の外側となるように設けられる。特に、本実施形態では、図７に示すように、短手方向に所定の距離を介して設けられた２つの接合部２２ｄにおいて、２つの内側突起部２２ｊ１の短手方向の距離Ｗ１は、２つの外側突起部２２ｊ２の短手方向の距離Ｗ２より大きくなるように形成されている。また、第１取付体２１の開口部２１ｆも同様に、長手方向において、外側の開口部（以下、単に「外側開口部２１ｆ２」という。）よりも内側の開口部（以下、単に「内側開口部２１ｆ１」という。）の方が、短手方向の外側に設けられている。ここで、以下、単に、「開口部２１ｆ」と記載したときは、すべての開口部２１ｆを示す。また、以下、内側突起部２２ｊ１及び内側開口部２１ｆ１をかしめを行った状態にて構成される接合構造を、長手方向において、内側の固定部である第１固定部ＦＸ１といい、外側突起部２２ｊ２及び外側開口部２１ｆ２をかしめを行った状態にて構成される接合構造を、長手方向において、外側の固定部である第２固定部ＦＸ２という。ここで、第１固定部ＦＸ１は、第２固定部ＦＸ２より短手方向の外側に設けられている。
【００５３】
図５に示すように、第１取付体２１の接合部２１ｄの開口部２１ｆには、突起部２２ｊの変形部位２２ｋ（図５（ｂ）参照）が収容される第１開口部２１ｇと、奥行き方向において、第１開口部２１ｇより裏側に形成されるとともに、第１開口部２１ｇの内径Ｄ１より小さい内径Ｄ２を有する第２開口部２１ｈとが設けられている。そして、第１開口部２１ｇと第２開口部２１ｈとの間には、第１開口部２１ｇに向かい拡径する、即ち、奥行き方向において、表側に向かい拡径する拡径開口部２１ｊが設けられている。また、図５（ａ）に示すように、第２開口部２１ｈの内径Ｄ２は、第２取付体２２の接合部２２ｄの突起部２２ｊの外径Ｄ３と略同一となるように形成される。
【００５４】
図５（ｂ）に示すように、突起部２２ｊが変形した状態において、突起部２２ｊ（変形部位２２ｋ）と拡径開口部２１ｊとは互いに接触する。また、変形部位２２ｋと、第１開口部２１ｇを構成する内周面と第２開口部２１ｈを構成する内周面とを連結する連結面とは互いに接触する。
【００５５】
また、奥行き方向において、突起部２２ｊの変形部位２２ｋの表面２２ｍは、第１取付体２１の接合部２１ｄの表面２１ｐよりも裏側となるように配置される。なお、スイッチ本体１（図１参照）に取り付けられたピアノハンドル３（図１参照）の裏面、即ち、ピアノハンドル３の奥行き方向の裏側の面は、第１取付体２１の接合部２１ｄの表面２１ｐと近接して配置されている。
【００５６】
図６に示すように、取付枠２は、造営材Ｑに設けられた開口部Ｑ１に設けられたスイッチボックスＳＢの突出部ＳＢ１の貫通孔ＳＢ２にねじ８が螺合することよって固定されている。ここで、図７に示すように、スイッチ装置Ａの第２取付体２２は、造営材Ｑの造営面Ｑ２と貫通孔２２ｂより長手方向の外側の部位（図７中の第２取付体２２の斜線部分。以下、単に「外側部位２２１」という。）のみと接触している。したがって、取付枠２をスイッチボックスＳＢ（図６参照）に取り付けられた際、即ち、第２取付体２２の貫通孔２２ｂとスイッチボックスＳＢの突出部ＳＢ１の貫通孔ＳＢ２にねじ８が固定された際、第２取付体２２の外側部位２２１は、奥行き方向の表側、即ち、造営面Ｑ２から離れる方向に変形する。そして、外側部位２２１より長手方向の内側の部位（以下、単に「内側部位２２２」という。）は、奥行き方向の裏側、即ち、造営面Ｑ２より裏側になるように変形する。
【００５７】
また、第２取付体２２の外側部位２２１が奥行き方向の表側、及び内側部位２２２が奥行き方向の裏側に変形するのに加え、第２取付体２２は、以下の変形を生じる。即ち、第２取付体２２の短手方向の中央に設けられた貫通孔２２ｂにねじ８が取り付けられるため、ねじ８の締め付けトルクは、第２取付体２２の貫通孔２２ｂに加わる。したがって、ねじ８の締め付けトルクによって、第２取付体２２は、貫通孔２２ｂを中心に奥行き方向の裏側に変形する。即ち、第２取付体２２は、貫通孔２２ｂを下部及び接合部２２ｄを上部として、奥行き方向の裏側に撓む。この第２取付体２２の奥行き方向の裏側への撓みに起因して、第１取付体２１は、保持部２１ａが、短手方向の外側に変形しようとする。即ち、保持部２１ａの奥行き方向の下部が最も短手方向の外側となるように変形しようとする。その結果、取付枠２に対して、スイッチ本体１の保持状態が安定しない。
【００５８】
しかしながら、接合部２１ｄ，２２ｄにおいて、第１固定部ＦＸ１が第２固定部ＦＸ２より短手方向の外側に配置されるため、保持部２１ａは、取付枠２をスイッチボックスＳＢに取り付けた状態において、保持部２１ａの短手方向の外側への変形が抑制される。
【００５９】
ここで、取付枠２をスイッチボックスＳＢに取り付けた状態において、保持部２１ａが短手方向の外側への変形が抑制される理由としては、次のように考えられる。即ち、ねじ８によって、スイッチボックスＳＢに取付枠２を取り付ける際、ねじ８の締め付けトルクによって、第２固定部ＦＸ２より大きな力が加わる第１固定部ＦＸ１が、第２固定部ＦＸ２を支点として、奥行き方向の下側、且つ、短手方向の内側に変形しようとする力が働く。即ち、短手方向において、第２固定部ＦＸ２より外側に配置された第１固定部ＦＸ１は、取付枠の短手方向において、第１取付体２１の保持部２１ａを内側に変形させる力が働く。
【００６０】
したがって、スイッチボックスＳＢに取付枠２を取り付ける際、第２取付体２２が奥行き方向の裏側に変形することに起因して、保持部２１ａが短手方向の外側に変形することに対し、第１固定部ＦＸ１により、保持部２１ａを短手方向の内側に変形しているため、図１９に示す従来構造と比較して、スイッチボックスＳＢに取付枠２を取り付けた状態において、保持部２１ａの短手方向の外側への変形量は低減する。
【００６１】
本実施形態のスイッチ装置の取付枠２によれば、以下の効果を奏することができる。
（１）本実施形態の取付枠２では、接合部２１ｄ，２２ｄにおいて、長手方向の内側に設けられる第１固定部ＦＸ１が長手方向の外側に設けられる第２固定部ＦＸ２よりも短手方向の外側に形成される構成とする。この構成によれば、ねじ８の締め付けトルクによって、保持部２１ａが短手方向の外側に変形することに対し、第１固定部ＦＸ１により、保持部２１ａは短手方向の内側に変形するため、取付枠２をスイッチボックスＳＢに取り付けた段階での保持部２１ａの外側への変形量は、図１９に示す従来構造の取付枠１００のねじの締め付けトルクによる変形量と比較して低減することができる。その結果、短手方向において、保持部２１ａがスイッチ本体１に対して離れる方向へ変形する量が低減されるため、保持部２１ａがスイッチ本体１を良好に保持することができる。
【００６２】
（２）本実施形態の取付枠２では、取付枠２が、第１取付体２１及び第２取付体２２を組み合わせることにより構成される。この構成によれば、図１９に示す取付枠１００を単一部材にて構成した場合と比較して、取付枠の歩留まりを大幅に改善することができる。即ち、取付枠１００を単一部材にて構成した場合、取付枠１００の空間ＳＲを形成するため、空間ＳＲに相当する部分の材料は廃材となってしまう。一方、取付枠２では、第１取付体２１及び第２取付体２２を接合することにより、取付枠２の空間Ｓ１を形成するため、第１取付体２１及び第２取付体２２を形成する際に、空間Ｓ１を形成しないため、空間Ｓ１に相当する部分には、材料（鋼板）が使用されず、廃材とならない。したがって、図１９に示す取付枠１００を単一構造にて構成した場合と比較して、取付枠２では、取付枠２を形成するための廃材の量を低減することができるため、取付枠の歩留まりを大幅に改善することができる。
【００６３】
（３）また、第１取付体２１の接合部２１ｄ及び第２取付体２２の接合部２２ｄをかしめによって接合するため、接合部２１ｄ，２２ｄをねじによる接合及び圧入並びに接着による接合と比較して、第１取付体２１及び第２取付体２２の接合強度を向上させることができる。また、接合部２１ｄ，２２ｄを溶接により接合した場合と比較して、接合部２１ｄ，２２ｄのような接合する部分が小さい場合の接合では、かしめの方が接合強度を高くすることができる。
【００６４】
（４）本実施形態の取付枠２では、第１取付体２１の接合部２１ｄ及び第２取付体２２の接合部２２ｄの接合構造がそれぞれ同一である構成とする。この構成によれば、取付枠２では、接合部２１ｄ，２２ｄが接合する接合構造が４つ設けられるが、これら４つの接合構造が同一であることにより、第１取付体２１及び第２取付体２２の接合作業を同一にすることができる。したがって、第１取付体２１及び第２取付体２２の接合作業を容易に行うことができる。
【００６５】
（５）特に、本実施形態の取付枠２では、４つの接合構造がかしめにより行われるため、例えば、かしめによる接合とねじによる接合とを併用した場合等の接合方法を異ならせた場合と比較して、第１取付体２１及び第２取付体２２の接合作業を容易に行うことができる。
【００６６】
（６）本実施形態の取付枠２では、第２取付体２２に突起部２２ｊが設けられるとともに、第１取付体２１に開口部２１ｆが設けられる構成とする。この構成によれば、突起部２２ｊを開口部２１ｆに挿入した状態において、突起部２２ｊを押圧することにより変形部位２２ｋを形成してかしめを行うため、かしめの際、かしめのための部材、即ち、接合部同士を接合するのに用いる部材が不要となる。したがって、接合部同士を接合するのに用いる部材であるハトメやリベットを用いたかしめと比較して、部品点数を削減することができる。
【００６７】
（７）本実施形態の取付枠２では、奥行き方向において、第１取付体２１の接合部２１ｄが第２取付体２２の接合部２２ｄより表側に配置されるとともに、接合部２１ｄ，２２ｄは、奥行き方向において、互いに重ねられる構成とする。この構成によれば、奥行き方向において、接合部２１ｄ，２２ｄが互いに重ねられる構成であるため、接合方向を一方向にて行うことができる。したがって、第１取付体２１及び第２取付体２２の接合作業を容易に行うことができる。
【００６８】
（８）本実施形態の取付枠２では、接合部２１ｄ，２２ｄが奥行き方向において、互いに重ねられるとともに、第１取付体２１及び第２取付体２２の接合を全てかしめにより行うため、例えば、プレス機によって、２つの接合構造、もしくは４つの接合構造を同時に行うことができる。即ち、２つの接合構造に設けられた４つの突起部２２ｊ、もしくは４つの接合構造に設けられた８つの突起部２２ｊを同時に変形させることができる。したがって、第１取付体２１及び第２取付体２２の接合構造を個別に接合しなければならない接合方法である、ねじ、接着及び溶接による接合と比較して、第１取付体２１及び第２取付体２２の接合作業の容易化を図るとともに、接合作業の時間の短縮を達成することができる。また、例えば、プレス機によって、１つの接合構造の２つの突起部２２ｊを同時に行うことができるため、例えば、１つの接合構造を２つのねじによって固定する場合と比較して、接合作業の時間の短縮を達成することができる。
【００６９】
（９）本実施形態の取付枠２では、奥行き方向において、第２取付体２２の接合部２２ｄの突起部２２ｊの変形部位２２ｋの表面２２ｍは、第１取付体２１の表面２１ｐよりも裏側に配置される構成とする。この構成によれば、第１取付体２１の表面２１ｐに対して近接して配置されるピアノハンドル３と突起部２２ｊとの接触を抑制することができる。ここで、ピアノハンドルと突起部とが接触した場合、ピアノハンドルがスイッチ本体の押釦ハンドルに対して離れてしまう。その結果、ピアノハンドルの押圧が、押釦ハンドルに伝達されにくい場合があった。しかしながら、本実施形態の取付枠２では、突起部２２ｊとピアノハンドル３との接触を防ぐため、奥行き方向において、スイッチ本体１に対してピアノハンドル３の位置を高精度に決めることができるため、ピアノハンドル３が押釦ハンドル１１を確実に押圧することができる。
【００７０】
（１０）本実施形態の取付枠２では、第１取付体２１の開口部２１ｆの第２開口部２１ｈには、第１開口部２１ｇに向かい拡径する拡径開口部２１ｊが設けられる構成とする。この構成によれば、第２開口部に拡径部が設けられない場合、即ち、開口部が第１開口部を構成する内周面、連結面、及び第２開口部を構成する内周面から構成される場合と比較して、突起部２２ｊと開口部２１ｆを構成する内周面との奥行き方向において対向する面積が大きくなることにより、接合部２１ｄ，２２ｄが互いに離れる方向に対する強度を向上させることができる。
【００７１】
（１１）本実施形態の取付枠２では、かしめを行う際、第２取付体２２のスイッチボックスＳＢを取り付ける際の位置決め部２２ｃを、突起部２２ｊを開口部２１ｆに挿入する基準及びかしめピンに対する基準とする構成とする。この構成によれば、スイッチボックスＳＢを取り付ける際の位置決め部２２ｃを用いることにより、別個、突起部２２ｊを開口部２１ｆに挿入する基準及びかしめピンに対する基準を設けることが不要となる。したがって、第２取付体２２の形状を単純化することができる。また、かしめを行う際、第２取付体２２を位置決め部２２ｃによって位置決めするため、突起部２２ｊとかしめピンとの位置精度を向上させることができる。したがって、第１取付体２１と第２取付体２２とのかしめの精度を向上させるとともに、取付枠２のコストダウンを図ることができる。
【００７２】
（第２の実施形態）
図８及び図９を参照して、本発明に係るスイッチの取付枠を電気機器のスイッチ装置を構成する取付枠として、具体的には、造営物に設置される照明のオンとオフとを切り換えるピアノハンドル式のスイッチ装置を構成する取付枠として具体化した第２の実施形態について説明する。なお、本実施形態のスイッチ装置と第１の実施形態のスイッチ装置とでは、取付枠の第１取付体と第２取付体との接合構造が異なるのみであるため、第１取付体と第２取付体との接合構造のみを説明する。また、同一構成要素には、同一符号を付し、その説明を省略する。
【００７３】
図８に示すように、第１取付体２１の接合部２１ｄ１及び第２取付体２２の接合部２２ｄ１において、接合部２１ｄ１，２２ｄ１は、奥行き方向において、互いに重ねられている。そして、接合部２２ｄ１には、内側突起部２２ｊ１及び外側突起部２２ｊ２がそれぞれ設けられている。また、接合部２１ｄ１には、内側開口部２１ｆ１及び外側開口部２１ｆ２がそれぞれ設けられている。
【００７４】
そして、接合部２１ｄ１，２２ｄ１が互いに重ねられた状態において、かしめが行われる。より詳細には、接合部２１ｄ１に設けられた開口部２１ｆに接合部２２ｄ１に設けられた突起部２２ｊを挿入した状態において、例えば、プレス機により突起部２２ｊを押圧して変形部位２２ｋを形成する。
【００７５】
また、接合部２２ｄ１の内側突起部２２ｊ１の短手方向の位置は、外側突起部２２ｊ２の短手方向の位置よりも短手方向の内側に形成されている。即ち、短手方向に所定の距離を介して形成されている２つの接合部２２ｄ１において、２つの内側突起部２２ｊ１の短手方向の距離Ｗ３は、２つの外側突起部２２ｊ２の短手方向の距離Ｗ４よりも小さくなるように形成されている。また、接合部２１ｄ１の開口部２１ｆも同様に、内側開口部２１ｆ１の短手方向の位置が、外側開口部２１ｆ２の短手方向の位置より短手方向の内側に形成されている。ここで、以下、内側突起部２２ｊ１及び内側開口部２１ｆ１をかしめを行った状態にて構成される接合構造を、長手方向において、内側の固定部である第１固定部ＦＸ１ａといい、外側突起部２２ｊ２及び外側開口部２１ｆ２をかしめを行った状態にて構成される接合構造を、長手方向において、外側の固定部である第２固定部ＦＸ２ａという。ここで、第１固定部ＦＸ１ａは、第２固定部ＦＸ２ａより短手方向の内側に設けられている。
【００７６】
ここで、図９に示すように、スイッチ本体１は、取付枠２に対して、第１取付体２１の保持部２１ａの短手方向の外側より取り付けられる。即ち、スイッチ本体１の筐体１２は、保持部２１ａを短手方向の外側より覆う腕部１２ａが設けられている。そして、腕部１２ａには、保持部２１ａに向かい、即ち、腕部１２ａより短手方向の内側に向かい突出する爪部１３ａが設けられている。この爪部１３ａが、保持部２１ａの貫通孔２１ｃと係合することにより、スイッチ本体１は、取付枠２に取り付けられるとともに、取付枠２に保持される。
【００７７】
また、第１固定部ＦＸ１ａの短手方向の位置が、第２固定部ＦＸ２ａの短手方向の位置よりも内側に形成されているため（図８参照）、ねじ８によって、取付枠２をスイッチボックスＳＢに取り付けた際、第２取付体２２の奥行き方向の裏側の撓みに起因して、第１取付体２１の保持部２１ａが短手方向の外側への変形量は、図１９に示す従来の取付枠１００の短手方向の外側への変形量よりも大きい。
【００７８】
ここで、取付枠２をスイッチボックスＳＢに取り付けた状態において、保持部２１ａが短手方向の外側への変形量が大きくなる理由としては、次のように考えられる。即ち、ねじ８によって、スイッチボックスＳＢに取付枠２を取り付ける際、ねじ８の締め付けトルクによって、第２固定部ＦＸ２ａより大きな力が加わる第１固定部ＦＸ１ａが、第２固定部ＦＸ２ａを支点として、奥行き方向の下側、且つ、短手方向の外側に変形しようとする力が働く。即ち、短手方向において、第２固定部ＦＸ２ａより外側に配置された第１固定部ＦＸ１ａは、短手方向において、第１取付体２１の保持部２１ａを外側に変形させる力が働く。
【００７９】
したがって、スイッチボックスＳＢに取付枠２を取り付ける際、第２取付体２２が奥行き方向の裏側に変形することに起因して、保持部２１ａが短手方向の外側に変形することに加え、第１固定部ＦＸ１ａにより、保持部２１ａを短手方向の外側に変形しているため、図１９に示す従来構造と比較して、スイッチボックスＳＢに取付枠２を取り付けた状態において、保持部２１ａの短手方向の外側への変形量は増大する。この保持部２１ａの短手方向の外側の変形に伴い、保持部２１ａは、スイッチ本体１の腕部１２ａを短手方向の外側に押圧する。
【００８０】
本実施形態のスイッチ装置の取付枠によれば、第１の実施形態の効果（２）〜（１１）に加え、以下の効果を奏することができる。
（１２）本実施形態の取付枠２では、接合部２１ｄ１，２２ｄ１において、第１固定部ＦＸ１ａの短手方向の位置が、第２固定部ＦＸ２ａの短手方向の位置より短手方向の内側に形成される構成とする。この構成によれば、スイッチボックスＳＢに取付枠２を取り付ける際、第２取付体２２が奥行き方向の裏側に撓むことに起因して、保持部２１ａが短手方向の外側に変形することに加え、第１固定部ＦＸ１ａにより、保持部２１ａは短手方向の外側に変形するため、保持部２１ａは、スイッチ本体１の腕部１２ａを押圧する。その結果、保持部２１ａと腕部１２ａに設けられた爪部１３ａとが良好に接触するため、即ち、保持部２１ａの貫通孔２１ｃに爪部１３ａが確実に係合するため、保持部２１ａは、スイッチ本体１を良好に保持することができる。
【００８１】
（第３の実施形態）
図１０を参照して、本発明に係るスイッチの取付枠を電気機器のスイッチ装置を構成する取付枠として、具体的には、造営物に設置される照明のオンとオフとを切り換えるピアノハンドル式のスイッチ装置を構成する取付枠として具体化した第３の実施形態について説明する。なお、本実施形態のスイッチ装置と第２の実施形態のスイッチ装置とでは、取付枠の第１取付体と第２取付体との接合構造が異なるのみであるため、第１取付体と第２取付体との接合構造のみを説明する。また、同一構成要素には、同一符号を付し、その説明を省略する。
【００８２】
図１０に示すように、第１取付体２１の接合部２１ｄ２には、開口部２１ｆが設けられている。この開口部２１ｆの配置及び形状は、第２の実施形態のスイッチ装置Ａの取付枠２と同様であるため、その説明を省略する。また、第２取付体２２の接合部２２ｄ２には、突起部２２ｊが設けられている。ここで、突起部２２ｊにおいて、第２の実施形態の取付枠２と同様に、内側突起部２２ｊ１の短手方向の位置は、外側突起部２２ｊ２の短手方向の位置より、短手方向の内側に配置されている。即ち、短手方向に所定の距離を介して設けられた２つの接合部２２ｄにおいて、２つの内側突起部２２ｊ１の短手方向の距離Ｗ３は、２つの外側突起部２２ｊ２の短手方向の距離Ｗ４より小さくなるように形成されている。
【００８３】
また、突起部２２ｊには、突起部２２ｊと接合部２２ｄ２の表面２２ｆとの接続部において、突起部２２ｊの他の部位の外径より大きい外径を有する拡径部２２ｊ３が設けられている。そして、拡径部２２ｊ３の表面２２ｐと接合部２１ｄ２の裏面２１ｅとが接触する。即ち、拡径部２２ｊ３の表面２２ｐと接合部２１ｄ２の裏面２１ｅとが接触することにより、拡径部２２ｊ３の周囲には、奥行き方向において、接合部２２ｄ２の表面２２ｆと接合部２１ｄ２の裏面２１ｅとの間には、間隙ＧＰが形成されている。
【００８４】
奥行き方向において、接合部２１ｄ２及び接合部２２ｄ２の間に間隙ＧＰが形成された状態において、第１の実施形態の取付枠２と同様にかしめを行う。この際、奥行き方向において、接合部２１ｄ２及び接合部２２ｄ２の間に間隙ＧＰが設けられるとともに、第１固定部ＦＸ１ａが第２固定部ＦＸ２ａより短手方向の外側に設けられるため、保持部２１ａは、短手方向の外側への変形量を第２の実施形態の保持部２１ａの短手方向の外側への変形量よりも大きくなる。
【００８５】
その理由としては、次のように考えられる。ねじ８によって、スイッチボックスＳＢに取付枠２を取り付ける際、ねじ８の締め付けトルクによって、第２固定部ＦＸ２ａより大きな力が加わる第１固定部ＦＸ１ａが、第２固定部ＦＸ２ａを支点として、奥行き方向の下側、且つ、短手方向の外側に変形しようとする力が働く。即ち、短手方向において、第２固定部ＦＸ２ａより外側に配置された第１固定部ＦＸ１ａは、短手方向において、第１取付体２１の保持部２１ａを外側に変形させる力が働く。その上、接合部２１ｄ２及び接合部２２ｄ２の間に間隙ＧＰが設けられることにより、即ち、接合部２１ｄ２と接合部２２ｄ２との接触する面積を小さくすることにより、接合部２１ｄ２の開口部２１ｆの周縁を中心に奥行き方向の裏側へ変形すると考えられる。これにより、接合部２１ｄ２の開口部２１ｆより短手方向の外側は、開口部２１ｆの周縁よりも奥行き方向の表側に変形する。
【００８６】
したがって、接合部２１ｄ２の開口部２１ｆより短手方向の外側が奥行き方向の表側に変形することに伴い、保持部２１ａは、短手方向の外側に変形する。即ち、本実施形態の取付枠２では、第１固定部ＦＸ１ａ及び第２固定部ＦＸ２ａに起因する保持部２１ａの変形に加え、接合部２１ｄ２及び接合部２２ｄ２の間の間隙ＧＰが設けられることに起因する保持部２１ａの変形により、保持部２１ａの短手方向の外側への変形量が第２の実施形態の取付枠２の保持部２１ａの短手方向の外側への変形量より大きくなる。
【００８７】
本実施形態のスイッチ装置の取付枠によれば、第１の実施形態の効果（２）〜（１２）に加え、以下の効果を奏することができる。
（１３）本実施形態の取付枠２では、第２取付体２２の接合部２２ｄ２の突起部２２ｊに拡径部２２ｊ３が設けられることにより、拡径部２２ｊ３の周囲には、奥行き方向において、第１取付体２１の接合部２１ｄ２の裏面２１ｅと接合部２２ｄ２の表面２２ｆとの間に間隙ＧＰが設けられる構成とする。この構成によれば、接合部２１ｄ２において、開口部２１ｆの周縁より短手方向の外側は、奥行き方向において表側に変形する。その結果、接合部２１ｄ２の開口部２１ｆの周縁より短手方向の外側の奥行き方向の表側への変形に起因して、保持部２１ａは、短手方向の外側へ変形する。この保持部２１ａの変形により、保持部２１ａは、スイッチ本体１の腕部１２ａに対して短手方向の外側へ押圧することができる。その結果、保持部２１ａと腕部１２ａに設けられた爪部１３ａとが良好に接触するため、即ち、保持部２１ａの貫通孔２１ｃに爪部１３ａが確実に係合するため、保持部２１ａは、スイッチ本体１を良好に保持することができる。
【００８８】
（第４の実施形態）
図１１及び図１２を参照して、本発明に係るスイッチの取付枠を電気機器のスイッチ装置を構成する取付枠として、具体的には、造営物に設置される照明のオンとオフとを切り換えるピアノハンドル式のスイッチ装置を構成する取付枠として具体化した第４の実施形態について説明する。なお、本実施形態のスイッチ装置と第１の実施形態のスイッチ装置とでは、取付枠の第１取付体と第２取付体との接合構造が異なるのみであるため、第１取付体と第２取付体との接合構造のみを説明する。また、同一構成要素には、同一符号を付し、その説明を省略する。
【００８９】
図１１に示すように、第１取付体２１の接合部２１ｄ３には、開口部２１ｆが設けられている。この開口部２１ｆは、第１の実施形態の取付枠２の開口部２１ｆと配置位置は同様である。また、図１２に示すように、開口部２１ｆのうち、内側開口部２１ｆ１の第１開口部２１ｇの内径Ｄ１ａ及び第２開口部２１ｈの内径Ｄ２ａは、外側開口部２１ｆ２の第１開口部２１ｇの内径Ｄ１及び第２開口部２１ｈの内径Ｄ２よりもそれぞれ大きく形成されている。
【００９０】
また、第２取付体２２の接合部２２ｄ３には、突起部２２ｊが設けられている。この突起部２２ｊは、第１の実施形態の取付枠２の突起部２２ｊと配置位置は同様である。また、突起部２２ｊのうち、内側突起部２２ｊ１の外径Ｄ３ａは、外側突起部２２ｊ２の外径Ｄ３よりも大きく形成されている。また、外側突起部２２ｊ２は、第１の実施形態の突起部２２ｊと同様の形状である。ここで、以下、内側突起部２２ｊ１及び内側開口部２１ｆ１をかしめを行った状態にて構成される接合構造を、長手方向において、内側の固定部である第１固定部ＦＸ１ｂといい、外側突起部２２ｊ２及び外側開口部２１ｆ２をかしめを行った状態にて構成される接合構造を、長手方向において、外側の固定部である第２固定部ＦＸ２ｂという。
【００９１】
内側突起部２２ｊ１の外径Ｄ３ａと内側開口部２１ｆ１の第２開口部２１ｈの内径Ｄ１ａが、外側突起部２２ｊ２の外径Ｄ３と外側開口部２１ｆ２の第２開口部２１ｈの内径Ｄ１よりもそれぞれ大きいため、内側突起部２２ｊ１と内側開口部２１ｆ１との接触面積が、外側突起部２２ｊ２と外側開口部２１ｆ２との接触面積よりも大きくなる。即ち、第１固定部ＦＸ１ｂと第２固定部ＦＸ２ｂとを同じ力にてかしめを行った場合、第１固定部ＦＸ１ｂの接合強度の方が、第２固定部ＦＸ２ｂの接合強度よりも高くなる。ここで、「接合強度」とは、接合部２１ｄ３，２２ｄ３を互いに引き離すために必要な力の大きさをいう。
【００９２】
本実施形態のスイッチ装置の取付枠によれば、第１の実施形態の効果（１）〜（１１）に加え、以下の効果を奏することができる。
（１４）本実施形態の取付枠２では、接合部２１ｄ３，２２ｄ３において、内側突起部２１ｊ１の外径Ｄ３ａ及び内側開口部２１ｆ１の第２開口部２１ｈの内径Ｄ１ａが、外側突起部２１ｊ２の外径Ｄ３及び外側開口部２１ｆ２の第２開口部２１ｈの内径Ｄ１よりそれぞれ大きい構成とする。この構成により、内側突起部２１ｊ１と内側開口部２１ｆ１との接触面積が、外側突起部２２ｊ２と外側開口部２１ｆ２との接触面積よりも大きくなるため、同じ力にてかしめを行った場合、第１固定部ＦＸ１ｂの接合強度は、第２固定部ＦＸ２ｂの接合強度よりも大きくなる。
【００９３】
ここで、本願発明者によれば、ねじ８によって、取付枠２がスイッチボックスＳＢに取り付けられるとき、内側突起部２２ｊ１に加わる力は、外側突起部２２ｊ２に加わる力よりも大幅に大きいことが確認されている。即ち、ねじ８の締め付けトルクに起因する突起部２２ｊに加わる力は、外側突起部２２ｊ２よりも内側突起部２２ｊ１の方が大幅に大きいことが確認されている。
【００９４】
したがって、上記事実に基づいて、第１固定部ＦＸ１ｂの接合強度を第２固定部ＦＸ２ｂの接合強度よりも高くする設定することにより、ねじ８の締め付けトルクによって、接合部２１ｄ３，２２ｄ３に加わる力により、接合部２１ｄ３と接合部２２ｄ３が互いに外れてしまうことを抑制することができる。したがって、接合部２１ｄ３と接合部２２ｄ３が互いに外れてしまうことにより、保持部２１ａがスイッチ本体１の保持の不安定化を抑制することができる。その結果、スイッチ本体１とピアノハンドル３との接触状態を良好に保持することができる。
【００９５】
（第５の実施形態）
図１３及び図１４を参照して、本発明に係るスイッチの取付枠を電気機器のスイッチ装置を構成する取付枠として、具体的には、造営物に設置される照明のオンとオフとを切り換えるピアノハンドル式のスイッチ装置を構成する取付枠として具体化した第５の実施形態について説明する。なお、スイッチ装置の全体構造は、第１の実施形態のスイッチ装置と同様である。以下、第１の実施形態と構造が異なる取付枠のみを説明する。
【００９６】
図１３に示すように、取付枠２ａは、鋼板をプレス加工することにより、中心に空間Ｓ１ａを有する枠状に構成されている。また、取付枠２ａは、単一部材から構成されている。そして、取付枠２ａは、スイッチ本体１を保持する１対の第１取付部９０と、スイッチボックスに取り付けられる１対の第２取付部９１とから構成されている。また、１対の第１取付部９０と１対の第２取付部９１との接続部分には、４つの接続部９２が設けられている。
【００９７】
各接続部９２の表面９２ａ側には、長手方向の内側から外側に向かい、短手方向の外側から内側に傾斜する溝９３が設けられている。即ち、図１４に示すように、短手方向に隣り合う溝９３の長手方向の内側の部位同士を結んだ距離Ｗ５は、溝９３の長手方向の外側の部位同士を結んだ距離Ｗ６よりも大きくなるように形成されている。
【００９８】
本実施形態のスイッチの取付枠によれば、以下の効果を奏することができる。
（１）本願発明者によれば、１対の第１取付部９０と１対の第２取付部９１との接続部分である各接続部９２の表面９２ａ側には、長手方向の内側から外側に向かい、短手方向の外側から内側に傾斜する溝９３を設けた場合、スイッチボックスＳＢと取付枠２ａとをねじ８によって取り付ける際、第１取付部９０の保持部９０ａが短手方向の内側に変形することを確認している。したがって、本実施形態の取付枠２ａでは、スイッチ本体１が第１取付体の短手方向の内側より保持される場合、取付枠２ａが、スイッチ本体１を良好に保持することができる。
【００９９】
（第６の実施形態）
図１５及び図１６を参照して、本発明に係るスイッチの取付枠を電気機器のスイッチ装置を構成する取付枠として、具体的には、造営物に設置される照明のオンとオフとを切り換えるピアノハンドル式のスイッチ装置を構成する取付枠として具体化した第６の実施形態について説明する。なお、本実施形態は、溝形状をのぞいて、第５の実施形態と同様であるため、同一構成要素には、同一符号を付し、その説明を省略する。
【０１００】
図１６に示すように、取付枠２ｂの各接続部９２の表面９２ａ側には、長手方向の内側から外側に向かい、短手方向の内側から外側に傾斜する溝９３ａが設けられている。即ち、短手方向に隣り合う溝９３ａの長手方向の内側を結んだ距離Ｗ５ａは、溝９３ａの長手方向の外側を結んだ距離Ｗ６ａよりも小さくなるように形成されている。
【０１０１】
なお、本実施形態のスイッチ装置は、第２の実施形態のスイッチ装置と同様に、スイッチ本体１に腕部１２ａが設けられ、腕部１２ａから短手方向の内側に向かい爪部１３ａが設けられている。即ち、スイッチ本体１は、爪部１３ａによって、取付枠２ｂの保持部９０ａの短手方向の外側より取り付けられるとともに、保持される。
【０１０２】
本実施形態のスイッチ装置の取付枠によれば、以下の効果を奏することができる。
（１）本願発明者によれば、１対の第１取付部９０と１対の第２取付部９１との接続部分である各接続部９２の表面９２ａ側には、長手方向の内側から外側に向かい、短手方向の内側から外側に傾斜する溝９３ａが設けられることにより、溝９３ａにより、スイッチボックスＳＢと取付枠２ｂとをねじ８によって取り付ける際、第１取付部９０の保持部９０ａが短手方向の外側に変形することが確認されている。したがって、本実施形態の取付枠２ｂでは、保持部９０ａは、保持部９０ａより短手方向の外側にある腕部１２ａを有するスイッチ本体１を短手方向の外側に押圧するため、取付枠２ｂは、スイッチ本体１を良好に保持することができる。
【０１０３】
（その他の実施形態）
なお、本発明の実施態様は、上記各実施形態にて例示した態様に限られるものではなく、これを例えば以下のように変更することもできる。
・第１の実施形態〜第３の実施形態において、各接合部２１ｄ〜２１ｄ３には、２つの開口部２１ｆが設けられ、各接合部２２ｄ〜２２ｄ３には、２つの突起部２２ｊが設けられたが、本発明は、これに限定されることなく、例えば、次のように変更することもできる。即ち、開口部２１ｆ及び突起部２２ｊの個数は、１つであってもよい。
【０１０４】
具体的には、第１の実施形態において、接合部２２ｄに設けられた突起部２２ｊは、長手方向において、内側から外側に向かうにしたがい、短手方向において、外側から内側に傾斜する形状に形成されている。また、開口部２１ｆの形状も突起部２２ｊの上記形状と同様である。これにより、ねじ８によって、スイッチボックスＳＢに取付枠２を取り付ける際、ねじ８の締め付けトルクによって、固定部の一構成要素である突起部２２ｊの長手方向の内側が、突起部２２ｊの長手方向の外側を支点として、奥行き方向の下側、且つ、短手方向の内側に変形しようとする力が働く。即ち、突起部２２ｊの長手方向の内側は、短手方向において、保持部２１ａを内側に変形させる力が働く。
【０１０５】
したがって、スイッチボックスＳＢに取付枠２を取り付ける際、第２取付体２２が奥行き方向の裏側に変形することに起因して、保持部２１ａが短手方向の外側に変形したとしても、突起部２２ｊの長手方向の内側により、保持部２１ａを短手方向の内側に変形しているため、図１９に示す従来構造と比較して、スイッチボックスＳＢに取付枠２を取り付けた状態において、保持部２１ａの短手方向の外側への変形量を低減させることができる。その結果、スイッチ本体１が第１取付体２１の短手方向の内側より保持される場合、取付枠２が、スイッチ本体１を良好に保持することができる。
【０１０６】
また、第２の実施形態及び第３の実施形態において、接合部２２ｄに設けられた突起部２２ｊは、長手方向において、内側から外側に向かうにしたがい、短手方向において、内側から外側に形成されている。また、開口部２１ｆの形状も突起部２２ｊの上記形状と同様である。これにより、ねじ８によって、スイッチボックスＳＢに取付枠２を取り付ける際、ねじ８の締め付けトルクによって、固定部の一構成要素である突起部２２ｊの長手方向の内側が、突起部２２ｊの長手方向の外側を支点として、奥行き方向の下側、且つ、短手方向の外側に変形しようとする力が働く。即ち、突起部２２ｊの長手方向の内側は、短手方向において、保持部２１ａを外側に変形させる力が働く。
【０１０７】
したがって、スイッチボックスＳＢに取付枠２を取り付ける際、第２取付体２２が奥行き方向の裏側に変形することに起因して、保持部２１ａが短手方向の外側に変形することに加え、突起部２２ｊの長手方向の内側により、保持部２１ａを短手方向の外側に変形しているため、スイッチボックスＳＢに取付枠２を取り付けた状態において、保持部２１ａの短手方向の外側への変形量を増大させることができる。その結果、スイッチ本体１が第１取付体２１の短手方向の外側より保持される場合、取付枠２が、スイッチ本体１を良好に保持することができる。
【０１０８】
・第１の実施形態〜第４の実施形態において、接合部２１ｄ〜２１ｄ３，２２ｄ〜２２ｄ３にそれぞれ設けられた開口部２１ｆ及び突起部２２ｊの個数は、２個であったが、本発明は、開口部２１ｆ及び突起部２２ｊの個数に限定されることなく、３個以上であってもよい。
【０１０９】
・第１の実施形態〜第６の実施形態において、スイッチ装置Ａは、スイッチ本体１及びピアノハンドル３がそれぞれ１個であったが、本発明は、これに限定されることはない。例えば、スイッチ本体１及びピアノハンドル３が、２個及び３個であってもよい。
【０１１０】
・第１の実施形態〜第６の実施形態において、取付枠２は、一つの空間Ｓ１が形成されたが、本発明は、これに限定されることはない。例えば、取付枠に複数の空間が形成されてもよい。即ち、取付枠の第１取付体及び第２取付体の他に、複数の空間を形成するための部材が配置される構造であっても本発明の技術的思想を適用することができる。
【０１１１】
・本発明のスイッチ装置Ａの第１の実施形態〜第４の実施形態において、取付枠２の第１取付体２１及び第２取付体２２は、かしめにより接合されたが、本発明は、これに限定されることなく、例えば、第１取付体及び第２取付体は、溶接により接合されてもよい。第１取付体及び第２取付体を溶接により接合することにより、第１取付体の接合部及び第２取付体の接合部に、突起部及び開口部を設けることが不要となるため、第１取付体及び第２取付体の形状を簡素化することができる。したがって、第１取付体及び第２取付体の形成を容易とするとともに、第１取付体及び第２取付体の製造コストを低減することができる。
【０１１２】
・第１の実施形態〜第４の実施形態において、取付枠２の第１取付体２１及び第２取付体２２には、突起部２２ｊに表面が形成されたが、本発明は、これに限定されることない。突起部２２ｊの形状は、開口部２１ｆに対してかしめが行うことができる形状であればよいため、例えば、突起部は、中空の円筒形状、即ち、貫通孔が設けられた円筒形状であってもよい。
【０１１３】
・第１の実施形態〜第４の実施形態において、取付枠２の第１取付体２１及び第２取付体２２には、開口部２１ｆに、第１開口部２１ｇ及び第２開口部２１ｈが設けられたが、本発明は、これに限定されることはない。突起部２２ｊ及び開口部２１ｆがかしめを行うことができる形状であればよいため、例えば、開口部２１ｆは、第２開口部２１ｈのみから構成されてもよい。この場合、突起部２２ｊが押圧されることにより、突起部２２ｊは、第２開口部２１ｈを押圧するように変形するとともに、第２開口部２１ｈに接合される。
【０１１４】
・第１の実施形態〜第４の実施形態において、取付枠２は、一対の第１取付体２１及び一対の第２取付体２２との４個の取付体によって構成されたが、本発明は、これに限定されることはない。例えば、取付枠を１つの第１取付体と１つの第２取付体とが単一部材となる構成、即ち、２つの取付体にて構成されてもよい。
【０１１５】
・第１の実施形態〜第４の実施形態において、奥行き方向において、かしめが行われた後の突起部２２ｊは、接合部２１ｄの表面２１ｐより裏側に配置されていたが、本発明はこれに限定されることはない。例えば、突起部２２ｊと接合部２１ｄの表面２１ｐとは略同一であってもよい。
【０１１６】
・第１の実施形態〜第４の実施形態において、第１取付体２１に開口部２１ｆが設けられ、第２取付体２２に突起部２２ｊが設けられたが、本発明は、これに限定されることはない。例えば、図１７及び図１８に示すように、第１取付体２１に突起部２２ｊが設けられ、第２取付体２２に開口部２１ｆが設けられる構成であってもよい。
【０１１７】
・第３の実施形態において、内側突起部２２ｊ１は、外側突起部２２ｊ２より短手方向の内側に設けられたが、本発明は、これに限定されることはない。例えば、内側突起部２２ｊ１の短手方向の位置と外側突起部２２ｊ２の短手方向の位置とは、略同位置であってもよい。
【０１１８】
・第４の実施形態において、内側突起部２２ｊ１は、外側突起部２２ｊ２より短手方向の外側に設けられたが、本発明は、これに限定されることはない。例えば、次のように変更してもよい。即ち、内側突起部２２ｊ１は、外側突起部２２ｊ２より短手方向の内側に設けられてもよい。また、内側突起部２２ｊ１の短手方向の位置と外側突起部２２ｊ２の短手方向の位置とは、略同位置であってもよい。
【０１１９】
・第５の実施形態及び第６の実施形態において、溝９３，９３ａは、接続部９２の表面９２ａ側に設けられたが、本発明は、これに限定されることはない。例えば、溝９３，９３ａは、接続部９２の裏面側に設けられてもよい。この場合、溝９３，９３ａによる保持部９０ａの変形は、接続部９２の表面９２ａ側に溝９３，９３ａが設けられた場合と逆方向となる。即ち、溝９３が接続部９２の裏面側に設けられると、保持部９０ａは、短手方向の外側に変形し、溝９３ａが接続部９２の裏面側に設けられると、保持部９０ａは、短手方向の内側に変形する。したがって、溝９３が接続部９２の裏面側に設けられる場合、スイッチ本体１は、保持部９０ａの短手方向の外側から取り付けることが望ましい。また、溝９３ａが接続部９２の裏面側に設けられる場合、スイッチ本体１は、保持部９０ａの短手方向の内側から取り付けられることが望ましい。
【０１２０】
・本実施形態のスイッチ装置Ａでは、スイッチ本体１として、ピアノハンドル３を介して、機械式にオンとオフとを切り換えるスイッチであったが、本発明は、このスイッチの種類に限定されることはない。例えば、機械式のスイッチに替えて、光学式のセンサであってもよい。
【図面の簡単な説明】
【０１２１】
【図１】本発明のスイッチの取付枠を具体化した第１の実施形態について、同取付枠を一構成要素として備えるスイッチ装置の分解斜視構造を示す斜視図。
【図２】同実施形態のスイッチの取付枠について、同取付枠の斜視構造を示す斜視図。
【図３】同実施形態のスイッチの取付枠について、同取付枠の分解斜視構造を示す斜視図。
【図４】同実施形態のスイッチの取付枠について、接合部を拡大した斜視構造を示す斜視図。
【図５】（ａ）同実施形態のスイッチの取付枠の接合部について、接合部にかしめが行われる前の状態の断面構造を示す断面図。（ｂ）同実施形態のスイッチの取付枠の接合部について、かしめが行われた後の状態の断面構造を示す断面図。
【図６】同実施形態のスイッチの取付枠について、同取付枠が造営材及びスイッチボックスに取り付けられた状態の断面構造を示す断面図。
【図７】同実施形態のスイッチの取付枠について、同取付枠が造営材に取り付けられた状態の正面構造を示す正面図。
【図８】本発明のスイッチの取付枠を具体化した第２の実施形態について、同取付枠が造営材に取り付けられた状態の正面構造を示す正面図。
【図９】（ａ）同実施形態のスイッチの取付枠について、同取付枠がスイッチボックスに取り付けられる前の状態の取付枠とスイッチ本体との関係を示す模式図。（ｂ）同実施形態のスイッチの取付枠について、同取付枠がスイッチボックスに取り付けられた後の状態の取付枠とスイッチ本体との関係を示す模式図。
【図１０】本発明のスイッチの取付枠を具体化した第３の実施形態について、取付枠の接合部を拡大した斜視断面構造を示す斜視断面図。
【図１１】本発明のスイッチの取付枠を具体化した第４の実施形態について、同取付枠が造営材に取り付けられた状態の正面構造を示す正面図。
【図１２】（ａ）同実施形態の第２固定部の接合構造を拡大した断面構造を示す断面図。（ｂ）同実施形態の第１固定部の接合構造を拡大した断面構造を示す断面図。
【図１３】本発明のスイッチの取付枠を具体化した第５の実施形態について、同取付枠の斜視構造を示す斜視図。
【図１４】同実施形態のスイッチの取付枠について、同取付枠が造営材に取り付けられた状態の正面構造を示す正面図。
【図１５】本発明のスイッチの取付枠を具体化した第６の実施形態について、同取付枠の斜視構造を示す斜視図。
【図１６】同実施形態のスイッチの取付枠について、同取付枠が造営材に取り付けられた状態の正面構造を示す正面図。
【図１７】本発明のスイッチの取付枠を具体化した第１の実施形態の変形例について、同取付枠の斜視構造を示す斜視図。
【図１８】同変形例のスイッチの取付枠について、同取付枠の分解斜視構造を示す斜視図。
【図１９】従来のスイッチの取付枠について、同取付枠にスイッチ本体を取り付けた状態の斜視構造を示す斜視図。
【符号の説明】
【０１２２】
Ａ…スイッチ装置、ＦＸ１，ＦＸ１ａ，ＦＸ１ｂ…第１固定部（固定部）、ＦＸ２，ＦＸ２ａ，ＦＸ２ｂ…第２固定部（固定部）、ＳＢ…スイッチボックス、ＳＢ１…突出部、ＳＢ２…貫通孔、１…スイッチ本体、２、２ａ，２ｂ…取付枠、３…ピアノハンドル、４…プレート、５…プレート枠、６…化粧プレート、７…ねじ、８…ねじ、１１…押釦ハンドル、１２…筐体、１２ａ…腕部、１３，１３ａ…爪部、２１…第１取付体、２１ａ…保持部、２１ｂ…補強部、２１ｃ…貫通孔、２１ｄ，２１ｄ１，２１ｄ２，２１ｄ３…接合部、２１ｅ…裏面、２１ｆ…開口部、２１ｆ１…内側開口部、２１ｆ２…外側開口部、２１ｇ…第１開口部、２１ｈ…第２開口部、２１ｊ…拡径開口部、２１ｐ…表面、２２…第２取付体、２２ａ…ねじ穴、２２ｂ…貫通孔、２２ｃ…位置決め部、２２ｄ，２２ｄ１，２２ｄ２，２２ｄ３…接合部、２２ｅ…屈曲部、２２ｆ…表面、２２ｇ…部位、２２ｈ…表面、２２ｊ…突起部、２２ｊ１…内側突起部、２２ｊ２…外側突起部、２２ｊ３…拡径部、２２ｋ…変形部位、２２ｍ…表面、２２ｎ…部位、９０…第１取付部、９０ａ…保持部、９１…第２取付部、９１ａ…貫通孔、９２…接続部、９２ａ…表面、９３，９３ａ…溝。
【図１】
2010050066.tif 000003
【図２】
2010050066.tif 000004
【図３】
2010050066.tif 000005
【図４】
2010050066.tif 000006
【図５】
2010050066.tif 000007
【図６】
2010050066.tif 000008
【図７】
2010050066.tif 000009
【図８】
2010050066.tif 000010
【図９】
2010050066.tif 000011
【図１０】
2010050066.tif 000012
【図１１】
2010050066.tif 000013
【図１２】
2010050066.tif 000014
【図１３】
2010050066.tif 000015
【図１４】
2010050066.tif 000016
【図１５】
2010050066.tif 000017
【図１６】
2010050066.tif 000018
【図１７】
2010050066.tif 000019
【図１８】
2010050066.tif 000020
【図１９】
2010050066.tif 000021